(57)【要約】    【課題】      携帯端末装置の周囲に存在する周辺機器を探索し、その辺機器が存在する方向や周辺機器との距離等の位置情報を解りやすく表示して、ユーザの使い勝手を改善し、負担を軽減する携帯端末装置及び表示方法を提供すること。    【解決手段】  表示制御部１１４は、無線通信部１０３から探索リストを受信すると、その探索リストの機種識別子に基づいて、記憶部１０１に記憶されたアイコンテーブルから対応するアイコンを取得し、探索リストの位置情報に基づいてアイコンの表示を制御する。この位置情報に基づくアイコンの表示制御では、位置情報に含まれる方向によりアイコンの表示位置を決定し、位置情報に含まれる距離によりアイコンを表示する大きさを決定する。  【選択図】      図２
2007067724.tif 000002
【特許請求の範囲】
【請求項１】
周辺機器と無線通信を行うとともに、周辺機器の探索や周辺機器の位置情報を取得する無線通信手段と、
前記無線通信手段により取得した周辺機器の位置情報に基づいて、周辺機器アイコンの表示を制御する表示制御手段と、
前記表示制御手段の表示制御により周辺機器アイコンを表示する表示手段と、
を具備することを特徴とする携帯端末装置。
【請求項２】
前記表示制御手段は、前記位置情報に含まれる方向に基づいて、前記周辺機器アイコンの表示位置を制御することを特徴とする請求項１記載の携帯端末装置。
【請求項３】
前記表示制御手段は、自装置から前方の周辺機器を上側に、自装置から後方の周辺機器を下側に、自装置から右方向の周辺機器を右側に、自装置から左方向の周辺機器を左側に、それぞれの周辺機器アイコンの表示位置を制御することを特徴とする請求項２記載の携帯端末装置。
【請求項４】
前記表示制御手段は、自装置から前方右方向の周辺機器を右上側に、自装置から前方左方向の周辺機器を左上側に、自装置から後方右方向の周辺機器を右下側に、自装置から後方左方向の周辺機器を左下側に、それぞれの周辺機器アイコンの表示位置を制御することを特徴とする請求項２又は３記載の携帯端末装置。
【請求項５】
前記表示制御手段は、前記位置情報に含まれる距離に基づいて、前記周辺機器アイコンの表示形態を制御することを特徴とする請求項１から４の何れか一項に記載の携帯端末装置。
【請求項６】
前記表示制御手段は、前記周辺機器アイコンの表示形態を、自装置から近距離の周辺機器アイコンを大きく表示し、自装置から遠距離の周辺機器アイコンを小さく表示するように制御することを特徴とする請求項５記載の携帯端末装置。
【請求項７】
携帯端末装置の周辺に存在する複数の周辺機器を表示する表示方法であって、
無線通信により周辺機器を探索して周辺機器の位置情報を取得する位置情報取得工程と、
前記取得した周辺機器の位置情報に基づいて、周辺機器アイコンの表示を制御する表示制御工程と、
前記表示制御により周辺機器アイコンを表示する表示工程と、
を有することを特徴とする表示方法。
【発明の詳細な説明】
【技術分野】
【０００１】
本発明は、携帯端末装置及び表示方法に関し、特に、携帯端末装置の周辺に存在する周辺機器を表示する携帯端末装置及び表示方法に関する。
【背景技術】
【０００２】
従来、携帯電話等の携帯端末は、多機能化が進み、音声通話の他に電子メールの送受信、インターネット等へのアクセス、音楽や画像等のコンテンツのダウンロード、音声と共にカメラで撮影した動画像を送受信するいわゆるテレビ電話等、様々なサービスを実現するアプリケーションを搭載するものが普及しつつある。
【０００３】
また、ＬＡＮ（Local Area Network）やインターネット等のネットワークの普及に伴い、パソコン機器、ＡＶ機器、通信機器、家電機器等の様々な機器をネットワークに接続し、相互に機能を提供しあうことで、例えば、機器単体では実現できないサービスを実現する機器連携システムが注目を集めている。このような機器連携システムにおいて、機器の探索等を行うプロトコルは、いくつか存在し、例えば、Ｊｉｎｉ（登録商標）、ＵＰｎＰ（Universal Plug and Play ）、近距離無線通信方式であるＢｌｕｅｔｏｏｔｈ（登録商標）の問合せ（Inquiry ）やＳＤＰ（Service Discovery Protocol）等が挙げられる。
【０００４】
上記機器連携システムに利用される携帯情報機器等の限られた表示画面において、現在通信中の情報機器やその種別、動作状況等を表示する技術が特許文献１に記載されている。この特許文献１に記載された情報機器では、情報機器毎に、その種別や内蔵機能、所有者等に応じたアイコンを対応付けて記憶しておき、他の情報機器との無線リンクを確立すると、その情報機器に対応するアイコンを選択して表示させるとともに、情報機器の動作状況の変化に応じて、アイコンを変化させて表示させている。
【特許文献１】特開２００３−２９５９９４号公報
【発明の開示】
【発明が解決しようとする課題】
【０００５】
しかしながら、上記特許文献１の情報機器では、情報機器との無線リンクを確立すると、その情報機器に対応するアイコンを選択して表示させ、情報機器の動作状況の変化に応じてアイコンを変化させて表示させているだけであるため、ユーザが周辺機器を選択する際の情報としては不十分である。
【０００６】
すなわち、限られた表示画面に周辺機器の情報を表示することは可能にしているが、周辺機器が存在する方向や周辺機器との距離等の位置情報は表示されないため、ユーザが周辺機器を選択する際の情報としては不十分である。
【０００７】
本発明はかかる点に鑑みてなされたものであり、携帯端末装置の周囲に存在する周辺機器を探索し、その周辺機器が存在する方向や周辺機器との距離等の位置情報を解りやすく表示して、ユーザの使い勝手を改善し、負担を軽減する携帯端末装置及び表示方法を提供することを目的とする。
【課題を解決するための手段】
【０００８】
本発明の携帯端末装置は、周辺機器と無線通信を行うとともに、周辺機器の探索や周辺機器の位置情報を取得する無線通信手段と、前記無線通信手段により取得した周辺機器の位置情報に基づいて、周辺機器アイコンの表示を制御する表示制御手段と、前記表示制御手段の表示制御により周辺機器アイコンを表示する表示手段と、を具備する構成を採る。
【０００９】
この構成によれば、辺機器が存在する方向や周辺機器との距離等の位置情報を解りやすく表示して、ユーザの使い勝手を改善し、負担を軽減することができる。
【００１０】
また、本発明の携帯端末装置は、請求項１記載の携帯端末装置において、前記表示制御手段は、前記位置情報に含まれる方向に基づいて、前記周辺機器アイコンの表示位置を制御する構成を採る。
【００１１】
この構成によれば、ユーザは周辺機器が存在する方向を直感的に知ることができる。
【００１２】
また、本発明の携帯端末装置は、請求項２記載の携帯端末装置において、前記表示制御手段は、自装置から前方の周辺機器を上側に、自装置から後方の周辺機器を下側に、自装置から右方向の周辺機器を右側に、自装置から左方向の周辺機器を左側に、それぞれの周辺機器アイコンの表示位置を制御する構成を採る。
【００１３】
この構成によれば、ユーザは複数の周辺機器が存在する方向を直感的に知ることができる。
【００１４】
また、本発明の携帯端末装置は、請求項２又は３記載の携帯端末装置において、前記表示制御手段は、自装置から前方右方向の周辺機器を右上側に、自装置から前方左方向の周辺機器を左上側に、自装置から後方右方向の周辺機器を右下側に、自装置から後方左方向の周辺機器を左下側に、それぞれの周辺機器アイコンの表示位置を制御する構成を採る。
【００１５】
この構成によれば、ユーザは複数の周辺機器が存在する方向を直感的に知ることができる。
【００１６】
また、本発明の携帯端末装置は、請求項１から４の何れか一項に記載の携帯端末装置において、前記表示制御手段は、前記位置情報に含まれる距離に基づいて、前記周辺機器アイコンの表示形態を制御する構成を採る。
【００１７】
この構成によれば、ユーザは周辺機器との距離を直感的に知ることができる。
【００１８】
また、本発明の携帯端末装置は、請求項５記載の携帯端末装置において、前記表示制御手段は、前記周辺機器アイコンの表示形態を、自装置から近距離の周辺機器アイコンを大きく表示し、自装置から遠距離の周辺機器アイコンを小さく表示するように制御する構成を採る。
【００１９】
この構成によれば、ユーザは複数の周辺機器までの距離が近距離か遠距離かを直感的に知ることができる。
【００２０】
また、本発明の表示方法は、携帯端末装置の周辺に存在する複数の周辺機器を表示する表示方法であって、無線通信により周辺機器を探索して周辺機器の位置情報を取得する位置情報取得工程と、前記取得した周辺機器の位置情報に基づいて、周辺機器アイコンの表示を制御する表示制御工程と、前記表示制御により周辺機器アイコンを表示する表示工程と、有する。
【００２１】
この方法によれば、辺機器が存在する方向や周辺機器との距離等の位置情報を解りやすく表示して、ユーザの使い勝手を改善し、負担を軽減することができる。
【発明の効果】
【００２２】
本発明によれば、辺機器が存在する方向や周辺機器との距離等の位置情報を解りやすく表示して、ユーザの使い勝手を改善し、負担を軽減することができる。
【発明を実施するための最良の形態】
【００２３】
以下、本発明の実施の形態について図面を参照して詳細に説明する。
【００２４】
図１は、本実施の形態に適用する無線ネットワークシステムのシステム構成例を示す図である。図１（ａ）において、無線ネットワークシステム１は、携帯電話端末１０と、周辺機器２０〜２３と、から構成される。携帯電話端末１０及び周辺機器２０〜２３は、無線通信機能を備える。また、本実施の形態では、同図（ｂ）に点線の四角で囲んで示すように、携帯電話端末１０を持つユーザを中心にして、前方、前方右方向、前方左方向、右方向、左方向、後方、後方右方向及び後方左方向の８方向を周辺機器が位置する方向として用いるものとする。
【００２５】
この図示した方向を基準にして、周辺機器２０は携帯電話端末１０の前方左方向に位置し、周辺機器２１は携帯電話端末１０の前方に位置し、周辺機器２２は携帯電話端末１０の右方向に位置し、周辺機器２３は携帯電話端末１０の後方右方向に位置している。
【００２６】
図中の点線で示す円の範囲は、携帯電話端末１０から周辺機器２０〜２３までの無線通信距離が、近距離（例えば、５ｍ以内）か遠距離（例えば、５ｍ以上）かを判別するため距離判別領域であり、その判別距離を距離判別閾値として用いる。この距離判別閾値により、周辺機器２０，２１は、携帯電話端末１０から遠距離に位置し、周辺機器２２，２３は、携帯電話端末１０から近距離に位置している。周辺機器２０の種別は、印字手段を具備するプリンタであり、周辺機器２１，２３の種別は、表示手段を具備するディスプレイであり、周辺機器２２の種別は、撮像手段を具備するビデオカメラである。
【００２７】
なお、これらの周辺機器２０〜２３は一例であり、無線通信機能を備える周辺機器であればよい。例えば、音声入力手段を具備するマイク、音声出力手段を具備するスピーカーやヘッドホン、音声入力手段と音声出力手段を具備するヘッドセット、撮像手段を具備するデジタルカメラ、キー入力手段を具備するキーボードやマウス、録画手段を具備するビデオ、録音手段を具備する音声レコーダや、パーソナルコンピュータや、ＰＤＡ（Personal Digital Assistance ）等の無線通信手段により携帯電話端末１０と通信可能であるものなら何でもよい。
【００２８】
なお、本実施の形態では、機器連携用無線通信方式としてＢｌｕｅｔｏｏｔｈを利用するが、他の機器連携用無線通信方式である無線ＬＡＮや、ＵＷＢ（Ultra Wide Band ）や、ＮＦＣ（Near Field Communication）や、ＺｉｇＢｅｅ（登録商標）等を利用してもよい。
【００２９】
図２は、図１の携帯電話端末１０の構成を示すブロック図である。図２において、携帯電話端末１０は、アプリケーション実行部１００と、記憶部１０１と、選択制御部１０２と、無線通信部１０３と、制御部１１０と、通信部１１１と、キー入力部１１２と、表示部１１３と、表示制御部１１４と、音声入力部１１５と、音声出力部１１６と、から構成される。
【００３０】
アプリケーション実行部１００は、制御部１１０の制御により記憶部１０１に記憶された各種アプリケーションプログラムを実行する。記憶部１０１は、アプリケーションプログラムや周辺機器の種別識別子毎に対応するアイコンを登録したアイコンテーブル等を記憶する。
【００３１】
選択制御部１０２は、キー入力部１１２で選択を行うために予め定められた１つ以上のキーが押下されたとき、後述する表示部１１３が具備する選択補助機能が指す周辺機器が選択されたことを記憶し、その選択指示を制御部１１０を介して無線通信部１０３に送信する。
【００３２】
無線通信部１０３は、本実施の形態で利用するＢｌｕｅｔｏｏｔｈ通信機能を有し、その通信機能により周辺機器２０〜２３との間で機器連携通信プロトコルを実行する。制御部１１０は、携帯電話端末１０内の各部を制御して、携帯電話機能と、各種アプリケーション機能を制御する。通信部１１１は、携帯通信機能を有し、携帯網（図示せず）を介して通信相手である携帯電話端末との間で携帯通信プロトコルを実行して通話信号を送受信する。
【００３３】
キー入力部１１２は、テンキーや各種ファンクションキー等を備え、そのキー入力操作に応じたキー入力信号を制御部１１０に出力する。表示部１１３は、液晶表示パネル等から構成され、表示制御部１１４の表示制御により周辺機器２０〜２３のアイコン等を表示する。表示制御部１１４は、無線通信部１０３で取得された各周辺機器２０〜２３の位置情報に基づいて各周辺機器２０〜２３のアイコン表示の表示制御を表示部１１３に対して行う。
【００３４】
音声入力部１１５は、マイク等から構成され、ユーザの送話音声を送話音声信号に変換して制御部１１０に出力する。音声出力部１１６は、スピーカー等から構成され、制御部１１０から入力される受話音声信号を変換して受話音声を出力する。
【００３５】
次に、図１の無線ネットワークシステム１における動作について以下に説明する。本動作では、携帯電話端末１０が無線通信エリアに存在する周辺機器を探索し、その探索結果を表示部１１３に設定する探索結果表示領域に分割して表示することを例にとり説明する。図３は、表示部１１３に設定する探索結果表示領域の例を示す図である。この探索結果表示領域３００では、表示部１１３の表示領域を９つの領域（領域１〜９）に分割した場合を示している。
【００３６】
本実施の形態の携帯電話端末１０における周辺機器アイコンの表示動作について、図４に示すフローチャートを参照して説明する。
【００３７】
携帯電話端末１０のキー入力部１１２において、ユーザにより周辺機器の探索を実行するために予め定められた１つ以上のキーを押下されたとき、周辺機器の探索を要求する周辺機器探索要求を制御部１１０を介して表示制御部１１４に送信する。
【００３８】
なお、周辺機器探索要求は、キー入力部１１２で予め定められた１つ以上のキーが押下されたときや、無線通信部１０３で予め定められた信号を受信したときや、音声入力部１１５で予め定められた音声が入力されたときや、アプリケーション実行部１００で予め定められたアプリケーションが実行されたとき等、周辺機器の探索を要求するために予め定められた手順が行われたときに対応する手段から送信されるものである。
【００３９】
また、周辺機器探索において利用する無線通信方式において、条件付きの探索が可能である場合、周辺機器探索指示には、機器の種別や、位置（探索範囲）等の探索条件を併せて送信するようにしてもよい。
【００４０】
表示制御部１１４は、制御部１１０から周辺機器探索要求を受信すると（ステップＳ１）、その周辺機器探索指示を制御部１１０を介して無線通信部１０３に送信する（ステップＳ２）。無線通信部１０３は、周辺機器探索指示を受信すると、公知であるＢｌｕｅｔｏｏｔｈの問い合わせ（Ｉｎｑｕｉｒｙ）やＳＤＰ（Service Discovery Protocol）に従って、周辺機器の探索、及び位置情報（距離及び方向）の取得を行う。
【００４１】
無線通信部１０３は、取得した情報から探索リストを作成して、その探索リストを制御部１１０を介して表示制御部１１４に送信する。探索リストの例を図５に示す。この探索リスト５００は、探索された周辺機器２０〜２３の機器識別子と、種別識別子と、位置情報（距離、方向）と、から構成され、位置情報は、携帯電話端末１０からの距離と、方向から構成される。
【００４２】
なお、探索リストには、機器識別子、種別識別子、位置情報が含まれていれば、無線の電波状態や、周辺機器の状態や、表示するアイコン情報等、周辺機器に関する他の情報が付加されていてもよい。また、機器識別子は、図示した「周辺機器２０」等の機器の名称や、「１０．１０．１０．１」等の機器アドレス等、機器を識別できるものであれば何でもよい。また、種別識別子は、「ディスプレイ」等の機器の種別や、「表示機能」等の機器の機能等、機器の種別を識別できるものであれば何でもよい。また、位置情報は、携帯電話端末１０との相対的な距離や方向の他に、絶対位置、住所、フロア、建物名、階数等、周辺機器の位置を示すものであれば何でもよい。
【００４３】
また、周辺機器の探索は、上記の公知技術でもよいし、独自の手順を用いてもよい。この独自の手順を用いる場合は、その手順のどのレイヤを用いてもよい。また、位置情報のうち携帯電話端末１０からの相対的な距離の取得は、ＵＷＢ等の各無線通信方式で規定されている公知の手順を用いるようにしてもよいし、無線到達エリアを制御できる上記Ｂｌｕｅｔｏｏｔｈ等の無線通信方式を用いて、無線到達エリアを変化させて距離を測定する技術を適用してもよい。
【００４４】
また、全ての周辺機器２０〜２３と携帯電話端末１０がＧＰＳ（Global Positioning System ）等の絶対位置を取得する手段を具備し、絶対位置から機器間の相対位置を取得する公知の手順等、独自の手順を用いてもよい。この独自の手順を用いる場合は、その手順のどのレイヤを用いてもよい。また、位置情報のうち携帯電話端末１０からの相対的な方向の取得は、アレイアンテナ等を用いた公知の技術や、上記ＧＰＳを用いた手順等、独自の手順を用いるようにしてもよい。この独自の手順を用いる場合は、その手順のどのレイヤを用いてもよい。
【００４５】
表示制御部１１４は、無線通信部１０３から探索リスト５００を受信すると（ステップＳ３）、その探索リスト５００の機器識別子に基づいて、記憶部１０１に記憶されたアイコンテーブルから対応するアイコンを取得し（ステップＳ４）、探索リスト５００の位置情報に基づいてアイコンの表示を制御する（ステップＳ５）。この位置情報に基づくアイコンの表示制御では、位置情報に含まれる方向によりアイコンの表示位置（図３の領域１〜９）を決定し、位置情報に含まれる距離によりアイコンを表示する大きさを決定する。
【００４６】
すなわち、位置情報の方向が、前方左方向の場合は図３の領域１に、前方の場合は領域２に、前方右方向の場合は領域３に、左方向の場合は領域４に、右方向の場合は領域６に、後方左方向の場合は領域７に、後方の場合は領域８に、後方右方向の場合は領域９に、表示位置を設定するように制御する。
【００４７】
図１に示した周辺機器２０〜２３の各位置によれば、周辺機器２０は領域１に、周辺機器２１は領域２に、周辺機器２２は領域６に、周辺機器２３は領域９に、各表示位置が決定される。
【００４８】
また、位置情報の距離が、近距離（例えば、５ｍ以内）の場合はアイコン表示を大きく遠距離（例えば、５ｍ以上）の場合はアイコン表示を小さく、それぞれ表示するように制御する。図１に示した周辺機器２０〜２３の各位置によれば、周辺機器２０，２１のアイコンは小さく、周辺機器２２，２３のアイコンは大きく表示するように制御される。
【００４９】
ここで、アイコンテーブルの例を図６に示す。このアイコンテーブル６００では、周辺機器の種別識別子として、ディスプレイ、ビデオカメラ、プリンタ、デジタルカメラに対応するアイコンを登録した場合を示している。
【００５０】
なお、アイコンの表示制御では、表示位置や大きさの他に、色や、濃さや、形や、ページ等の階層等、周辺機器の違いが分かる制御方法であればよい。また、位置情報の構成要素（距離、方向）とアイコンの表示制御（表示位置、大きさ）の組み合わせは、各位置情報の構成要素が直感的にわかる表示制御方法であればよい。また、アイコンの表示位置は、探索結果表示領域３００内で直感的に方向が分かるように配置されればよく、図１の方向に限定されるものではない。また、アイコンの大きさは、探索結果表示領域３００内で直感的に距離が分かるような表示形態であればよく、どのような表示形態でもよい。本実施の形態では、大きいアイコンと小さいアイコンの２段階の例を示したが、その大きさの段階をより多くしてもよく、また、距離に比例してアイコンの大きさを連続的に制御するようにしてもよい。また、アイコンの大きさを制御する閾値を５ｍとしたが、これよりも長くても、短くてもよい。
【００５１】
次に、表示制御部１１４は、表示位置と表示形態を決定すると、記憶部１０１に記憶されたアイコンテーブル６００から対応するアイコンを読み出して、そのアイコンを表示する表示指示を制御部１１０を介して表示部１１３に送信して（ステップＳ６）、本処理を終了する。表示部１１３は、表示指示を受信すると、その表示指示に従って、周辺機器２０〜２３のアイコンを探索結果表示領域３００に表示する。
【００５２】
以上の探索結果表示制御により表示部１１３に表示されたアイコン表示例を図７に示す。図７に示すように、周辺機器２０を示すプリンタのアイコンが領域１に小さく表示され、周辺機器２１を示すディスプレイのアイコンが領域２に小さく表示され、周辺機器２２を示すビデオカメラのアイコンが領域６に大きく表示され、周辺機器２３を示すディスプレイのアイコンが領域９に大きく表示される。このとき、各アイコンの下側には、機器識別子が併せて表示される。また、領域５には、携帯電話端末１０のユーザを示すアイコンが表示され、表示部１１３の上部には、探索した周辺機器の台数を表す「４」が表示されている。周辺機器が探索されなかった領域３，４，７，８には何も表示されない。
【００５３】
この探索結果の表示内容により、携帯電話端末１０のユーザは、自装置の周囲に存在する周辺機器２０〜２３の種別と、それらの存在する方向及び距離を直感的に知ることができる。
【００５４】
なお、機器識別子や探索した周辺機器の台数は、表示しても、しなくてもよいし、それらの表示位置は特に限定するものではない。また、領域５には、ユーザや携帯電話端末１０等を示すアイコンや文字等を表示すればよく、その表示形態を限定するものではない。周辺機器が探索されなかった領域には、機器が探索されなかったことを示すアイコンや文字等を表示するようにしてもよい。
【００５５】
また、上記探索結果の他の表示例を図８に示す。この表示例では、領域として図１の距離判別領域を表示し、各周辺機器２０〜２３のアイコンを該当する方向と距離に応じた大きさで表示するとともに、各アイコンの下側に機器識別子を表示し、表示部１１３の上部には探索した周辺機器の台数を表示している。
【００５６】
このような探索結果の表示内容においても、携帯電話端末１０のユーザは、自装置の周囲に存在する周辺機器２０〜２３の種別と、それらの存在する方向及び距離を直感的に知ることができる。
【００５７】
次に、表示制御部１１４の上記表示制御動作以外の付加的な動作について以下に説明する。
【００５８】
まず、携帯電話端末１０の同一方向に複数の周辺機器が存在する場合の表示制御部１１４における動作について、図９，１０の表示例を参照して説明する。
【００５９】
携帯電話端末１０から同一方向に複数の周辺機器が存在する場合、表示制御部１１４は、複数のページに分けて表示するように表示指示を制御部１１０を介して表示部１１３に送信する。表示部１１３は、図９に示すように、探索結果表示画面の上部に、ページ番号「１／２」を表示するとともに、下部に「次ページ」を表示して、ユーザに２ページ目の探索結果があることを明示する。キー入力部１１２では、ページ切り替えを行うために予め定められた１つ以上のキーが押下されて「次ページ」が操作されたとき、表示部１１３に表示中の１ページ目の探索結果が２ページ目の探索結果表示に切り替えられる。
【００６０】
したがって、例えば、携帯電話端末１０の後方右方向の遠距離（例えば、５ｍ以上）に周辺機器２４（ディスプレイ）が更に存在する場合、ページ切り替え操作により、図１０に示すように、２ページ目の探索結果表示画面内の領域９に周辺機器２４を示すディスプレイのアイコンが小さく表示される。
【００６１】
したがって、同一方向に複数の周辺機器が存在する場合でも、ユーザは同一方向に複数の周辺機器が存在することを直感的に知ることができる。
【００６２】
なお、同一方向に複数の周辺機器が存在する場合の表示方法は、例示したページによる階層表示を行うようにしてもよいし、一度に表示する周辺機器数を限定して、１ページに複数の周辺機器を表示するようにしてもよいし、最も近い周辺機器だけを表示するようにしてもよい。要は、ユーザが周辺機器の位置情報を直感的に分かるように表示すればよく、その表示形態を特に限定するものではない。
【００６３】
また、ページ番号の表示位置や表示タイミング等も特に限定するものではない。また、ページの切り替え方法は、上記キー入力部１１２のキー操作による方法の他に、無線通信部１０３で予め定められた信号を受信したときや、携帯電話端末１０の音声入力部１１５に予め定められた音声が入力されたとき等、ページを切り替えるために予め定められた手順であればよい。
【００６４】
次に、携帯電話端末１０の向きが変更した場合の表示制御部１１４における動作について、図１１の表示例を参照して説明する。
【００６５】
携帯電話端末１０の表示制御部１１４は、携帯電話端末１０が向いている方向（以下、向きという）を検出する向き検出機能を有し、探索リストを受信したときの向きを記憶しておき、現在の携帯電話端末１０の向きが記憶した向きから変更されたとき、表示中のアイコンの表示位置を補正する表示位置変更指示を制御部１１０を介して表示部１１３に送信する。
【００６６】
表示部１１３は、表示位置変更指示を受信すると、その表示位置変更指示に従って、表示中のアイコンの表示位置を変更して探索結果表示領域に表示する。したがって、例えば、図１（ｂ）のユーザの向きで探索した探索結果として、図７に示した探索結果を表示中に、図１１に示すようにユーザが左に４５°向きを変更した場合（図中の左方向を向いた場合）、その向きの変更が表示制御部１１４により検出され、図７に表示中のアイコンの表示位置を補正する表示位置変更指示が制御部１１０を介して表示部１１３に送信される。その結果、図１１に示すように、周辺機器２０のアイコンが領域１から領域３に変更表示され、周辺機器２１のアイコンが領域２から領域６に変更表示され、周辺機器２２のアイコンが領域６から領域８に変更表示され、周辺機器２３のアイコンが領域９から領域７に変更表示される。
【００６７】
したがって、ユーザの向きが変更された場合でも、向きの変更に応じて周辺機器のアイコンの表示位置が変更されるため、ユーザは向き変更に伴う携帯電話端末と周辺機器との位置関係を直感的に知ることができる。
【００６８】
なお、向き検出機能を無線通信部１０３が有する場合は、本機能を用いて向きを検出するようにしてもよい。この場合、周辺機器を探索したときの向きを記憶するようにしてもよい。また、現在の向きの取得タイミングは、周期的に行うようにしてもよいし、加速度センサ等を用いて、ユーザが動いたことを認識して取得するようにしてもよい。また、向きが変更されたか否かの判断は、ある一定以上の向きが変更されたときに向きが変更されたと判断するようにしてもよいし、アイコンの表示位置の変更（ここでは、領域を跨ぐこと）が起きたときに変更されたと判断するようにしてもよい。また、向きだけでなく、相対的な距離等、他の位置情報の変更を検出し、アイコンの表示制御（大きさ、表示位置等）を補正するようにしてもよい。この場合、位置情報の検出は、ＧＰＳや加速度センサ等を用いてもよい。
【００６９】
次に、携帯電話端末１０が使用不可能の周辺機器が存在する場合の表示制御部１１４における動作について、図１２の表示例を参照して説明する。
【００７０】
携帯電話端末１０の表示制御部１１４は、探索した周辺機器が使用中の場合や、周辺機器のスケジュールを管理しているサーバ等にアクセスしてスケジュールを確認した結果、探索した周辺機器に既に予約が入っている場合等、探索した周辺機器が使用不可能の場合、その周辺機器のアイコンの表示色を薄くして表示する使用不可指示を制御部１１０を介して表示部１１３に送信する。
【００７１】
表示部１１３は、使用不可指示を受信すると、その使用不可指示に従って、アイコンの表示色を薄くして探索結果表示領域に表示する。例えば、図１２に示すように、周辺機器２３が使用不可能の場合、その周辺機器２３のアイコンの表示色を薄くして表示される。
【００７２】
したがって、探索した周辺機器の中に使用不可の周辺機器が存在する場合でも、そのアイコンの表示色が薄く表示される等して識別表示されるため、ユーザは使用不可の周辺機器を直感的に知ることができる。
【００７３】
なお、アイコンの表示制御は、表示色の濃さの他に、色や大きさや形等、使用不可が直感的に分かる表示制御方法であれば何でもよい。また、使用不可の周辺機器のアイコンを表示しなくてもよい。また、使用不可の周辺機器の数は、表示してもよいし、表示しなくてもよい、また、表示位置や表示タイミング等を特に限定するものではない。
【００７４】
次に、探索結果で表示された周辺機器からキー入力により所望の周辺機器を選択して接続する動作について、図１３、１４の表示例を参照して説明する。
【００７５】
表示部１１３は、探索結果で表示した周辺機器の領域毎にカーソル等を移動させて選択を直感的に行うことができる選択補助機能（図１３参照）を具備する。この選択補助機能は、キー入力部１１２のキー入力操作に従って制御される。
【００７６】
選択制御部１０２は、キー入力部１１２で選択を行うために予め定められた１つ以上のキーが押下されたとき、表示部１１３の選択補助機能が指す周辺機器が選択されたことを記憶し、その選択指示を制御部１１０を介して表示部１１３に送信する。
【００７７】
表示部１１３は、選択指示を受信すると、その選択指示に従って、選択された周辺機器のアイコンの背景色を、図１４に示すように変更する。また、図１４の表示部１１３の上部には、選択された周辺機器の数「１／４」が表示される。
【００７８】
選択制御部１０２は、キー入力部１１２で周辺機器と接続を行うために予め定められた１つ以上のキーが押下されたとき、記憶している選択された周辺機器に接続する周辺機器接続指示を制御部１１０を介して無線通信部１０３に送信する。無線通信部１０３は、周辺機器接続指示を受信すると、公知であるＢｌｕｅｔｏｏｔｈによる無線通信方式に従って、選択された周辺機器に無線接続する。
【００７９】
したがって、探索した周辺機器の中から所望の周辺機器を選択して接続する場合でも、ユーザは表示された探索結果表示画面においてカーソル等の簡単なキー操作で直感的に所望の周辺機器を選択して接続することができる。
【００８０】
なお、選択補助機能の制御は、無線通信部１０３の信号受信や、携帯電話端末１０の音声入力部１１５の音声入力等、を用いるようにしてもよい。また、周辺機器の選択や接続は、上記選択や接続手順の他に、無線通信部１０３で予め定められた信号を受信したときや、音声入力部１１５から予め定められた音声が入力されたとき等、周辺機器の選択や接続を行うために予め定められた手順であれば何でもよい。また、選択されたアイコンの表示制御は、上記表示形態の他に、色や、大きさや、形や濃さ等、選択されたことが直感的に分かる制御方法であれば何でもよい。また、選択された周辺機器の数は、表示しても、表示しなくてもどちらでもよい。また、その表示場所や表示タイミングは特に限定するものではない。
【００８１】
次に、表示部１１３に表示された周辺機器からキー入力により所望の周辺機器の詳細情報を表示する場合の動作について、図１３、１５、１６の表示例を参照して説明する。
【００８２】
表示部１１３は、図１３に示したように、カーソル等の選択を直感的に行うことができる選択補助機能を具備する。選択補助機能の制御は、キー入力部１１２のキー入力に従って制御される。
【００８３】
選択制御部１０２は、キー入力部１１２で周辺機器の詳細情報の表示を行うために予め定められた１つ以上のキーが押下されたとき、表示部１１３の選択補助機能が指す周辺機器の詳細情報と詳細情報表示指示を制御部１１０を介して表示部１１３に送信する。詳細情報は、探索リストに登録されている情報であり、機器識別子や、種別識別子や、位置情報、無線の電波状態や、周辺機器の動作状態等、周辺機器に関する他の情報である。
【００８４】
表示部１１３は、詳細情報表示指示を受信すると、その詳細情報表示指示に従って、選択された周辺機器の詳細情報を、図１５に示すように表示する。図１５は、携帯電話端末１０の前方に存在する周辺機器２１（ディスプレイ）の詳細情報表示指示が行われた場合の詳細情報表示例である。この場合、周辺機器２１の詳細情報として、種別識別子を示す「ディスプレイ」と、そのメーカー名を示す「Ａ社」と、その機能を示す「３２型」と、位置情報を示す「前方  ５ｍ以上」と、が表示されている。
【００８５】
また、図１６は、使用不可の周辺機器２３（ディスプレイ）の詳細情報表示指示が行われた場合の詳細情報表示例である。この場合、周辺機器２３の詳細情報として、動作状態を示す情報「２００５／３／１  １４：００−１６：００」と、使用者を示す「山田太郎」と、が表示されている。
【００８６】
したがって、表示した周辺機器の中から所望の周辺機器の詳細情報を表示する場合でも、ユーザは表示された探索結果表示画面においてカーソル等の簡単なキー操作で直感的に所望の周辺機器を選択して詳細情報を表示することができる。
【００８７】
なお、周辺機器の選択は、上記カーソルキー操作の他に、無線通信部１０３で予め定められた信号を受信したときや、携帯電話端末１０の音声入力部１１５で予め定められた音声が入力されたとき等、周辺機器の詳細情報の表示を行うために予め定められた手順であれば何でもよい。また、所望の周辺機器の表示領域にカーソルを重ね合わせるだけで詳細情報を表示するようにしてもよい。
【産業上の利用可能性】
【００８８】
本発明は、携帯端末装置の周囲に存在する周辺機器を探索し、その辺機器が存在する方向や周辺機器との距離等の位置情報を解りやすく表示して、ユーザの使い勝手を改善し、負担を軽減する携帯端末装置及び周辺機器表示方法等に有用である。
【図面の簡単な説明】
【００８９】
【図１】本発明の一実施の形態に係る無線ネットワークシステムの（ａ）は全体構成を示す図、（ｂ）は携帯電話端末に対する周辺機器の存在方向を示す図
【図２】本実施の形態に係る携帯電話端末の構成を示すブロック図
【図３】本実施の形態に係る表示部の探索結果表示領域を示す図
【図４】本実施の形態に係る携帯電話端末の周辺機器探索から探索結果表示までの動作を示すフローチャート
【図５】本実施の形態に係る探索リストの一例を示す図
【図６】本実施の形態に係るアイコンテーブルの一例を示す図
【図７】本実施の形態に係る表示部の探索結果の表示例を示す図
【図８】本実施の形態に係る表示部の探索結果の他の表示例を示す図
【図９】本実施の形態に係る同一方向に複数の周辺機器が存在する場合の表示部の探索結果の表示例を示す図
【図１０】本実施の形態に係る同一方向に複数の周辺機器が存在する場合の表示部の探索結果の表示例を示す図
【図１１】本実施の形態に係る携帯電話端末ユーザの向きが変更された場合の表示部の探索結果の表示例を示す図
【図１２】本実施の形態に係る使用不可の周辺機器が存在する場合の表示部の探索結果の表示例を示す図
【図１３】本実施の形態に係る探索結果表示画面において周辺機器を選択する選択補助機能を示す図
【図１４】本実施の形態に係る選択補助機能により周辺機器が選択された際の表示例を示す図
【図１５】本実施の形態に係る探索結果表示画面において選択された周辺機器の詳細情報の表示例を示す図
【図１６】本実施の形態に係る探索結果表示画面において選択された周辺機器が使用不可の場合の詳細情報の表示例を示す図
【符号の説明】
【００９０】
１  無線ネットワークシステム
１０  携帯電話端末
２０〜２３  周辺機器
１００  アプリケーション実行部
１０１  記憶部
１０２  選択制御部
１０３  無線通信部
１１０  制御部
１１１  通信部
１１２  キー入力部
１１３  表示部
１１４  表示制御部
１１５  音声入力部
１１６  音声出力部
３００  探索結果表示領域
５００  探索リスト
６００  アイコンテーブル
【図１】
2007067724.tif 000003
【図２】
2007067724.tif 000004
【図３】
2007067724.tif 000005
【図４】
2007067724.tif 000006
【図５】
2007067724.tif 000007
【図６】
2007067724.tif 000008
【図７】
2007067724.tif 000009
【図８】
2007067724.tif 000010
【図９】
2007067724.tif 000011
【図１０】
2007067724.tif 000012
【図１１】
2007067724.tif 000013
【図１２】
2007067724.tif 000014
【図１３】
2007067724.tif 000015
【図１４】
2007067724.tif 000016
【図１５】
2007067724.tif 000017
【図１６】
2007067724.tif 000018